(57)【特許請求の範囲】
【請求項１】
脚部主板の中間に、間隔が常時は広幅状態から幅狭となるような弾性屈曲部と、前記脚部主板の一端部に、折板屋根の両谷部に形成された両段部にそれぞれ係止する係止縁と、前記脚部主板の他端部に、力骨体取付主体に取付けられる取付部を備えた嵌合用脚部の取付部が、前記力骨体取付主体の左右側面に取り付けられ、前記弾性屈曲部は、弾性を有する折返し状に形成され、ボルトとナットとから構成される締付具の締め付けにて前記弾性屈曲部は窄めることができることを特徴とする折板屋根の力骨体取付用具。
【請求項２】
請求項１において、前記力骨体取付主体は前記折板屋根の頂面に載置可能な箱状力骨体取付主体として構成されてなることを特徴とする折板屋根の力骨体取付用具。
【請求項３】
請求項１において、前記力骨体取付主体は、折板屋根の馳締連結部を収納する凹状の窪みとした馳把持部と、該馳把持部の下方に位置する馳挟持面とを有する第１挟持部材と、該第１挟持部材と同様に凹状の窪みとした馳把持部と馳挟持面とを有する第２挟持部材とからなり、前記第１挟持部と前記第２挟持部材とを近接及び離間させて締付けてなることを特徴とする折板屋根の力骨体取付用具。
【請求項４】
請求項１，２又は３のいずれか１項の記載において、前記嵌合用脚部の弾性屈曲部は、前記嵌合用脚部と同一部材が弾性を有して折返し状に形成されてなることを特徴とする折板屋根の力骨体取付用具。
【請求項５】
脚部主板の中間に、間隔が常時は広幅状態から幅狭となるような弾性屈曲部と、前記脚部主板の一端部に、折板屋根の両谷部に形成された両段部にそれぞれ係止する係止縁と、前記脚部主板の他端部に、力骨体取付主体に取付けられる取付部を備えた嵌合用脚部の取付部が、前記力骨体取付主体の左右側面に取り付けられ、前記弾性屈曲部は、弾性を有する折返し状に形成され、ボルトとナットとから構成される締付具の締め付けにて前記弾性屈曲部は窄めることができる力骨体取付用具と、平坦状主板と、この幅方向の両側に形成された主側部とからなる力骨本体部とを備え、前記折板屋根の両谷部の両段部に前記係止縁が係止されつつ、弾性屈曲部が締付具にて締付けられ、前記力骨体取付主体に力骨本体部が取付けられてなることを特徴とする折板屋根の力骨体取付構造。
【発明の詳細な説明】
【技術分野】
【０００１】
本発明は、ソーラーパネルや、緑化屋根及び軽微な設備装置や屋根上のメンテナンス通路となる構成部材を適宜取付けることができ、汎用性を有し、簡易且つ強固に取付けることができると共に、安価に提供できる折板屋根用力骨体及び折板屋根の力骨体取付構造に関する。
【背景技術】
【０００２】
従来より、折板屋根上に、太陽光発電パネルや、緑化構造物及び軽微な設備装置や屋根上のメンテナンス通路を設ける場合には、種々の構成を成した部材がその都度設計などされて取付られていた。特に、前記太陽光発電パネルは、各メーカーによって、形状、取付寸法などが異なっている。このため、毎回、そのパネルサイズに合うように、その取付金具の検討が必要であった。また、緑化構造物を折板屋根上に取付けるには、さらにその都度、設計などされて取付られていたことが多かった。特許文献１の構成では、汎用性及び強度性などがなく、構造が複雑で取付性が悪い等の欠点があった。また、施工した段部付きの折板屋根では、前記段部に嵌合するのに、折板屋根板を主板箇所に圧力を加えて嵌合している。すると、図１（Ｂ）において、左右側での嵌合力に僅かな相違が生ずることがある。すると、構造材の上面からの高さが僅かながら異なることが多い。例えば、図１（Ｂ）において、左側を高さＨとすると、右側は高さＨ±△Ｈとなるものである。この原因としては施工及び構造材の歪みや不陸などによる。
【先行技術文献】
【特許文献】
【０００３】
【特許文献１】特開２００２−２１２６１
【発明の概要】
【発明が解決しようとする課題】
【０００４】
そこで、本発明は、これらの欠点及び欠陥を解消するとともに、汎用性ある物とすることを目標とした。つまり、本発明が解決しようとする課題（技術的課題又は目的等）は、ソーラーパネルや、緑化屋根となる構成部材が適宜取り付けられるように、汎用性を考慮しつつ、段部付きの折板屋根に対して簡易且つ強固に水平状に取付けることができると共に、安価に提供できることを実現することである。
【課題を解決するための手段】
【０００５】  そこで、発明者は上記課題を解決すべく鋭意，研究を重ねた結果、請求項１の発明を、  脚部主板の中間に、間隔が常時は広幅状態から幅狭となるような弾性屈曲部と、前記脚部主板の一端部に、折板屋根の両谷部に形成された両段部にそれぞれ係止する係止縁と、前記脚部主板の他端部に、力骨体取付主体に取付けられる取付部を備えた嵌合用脚部の取付部が、前記力骨体取付主体の左右側面に取り付けられ、前記弾性屈曲部は、弾性を有する折返し状に形成され、ボルトとナットとから構成される締付具の締め付けにて前記弾性屈曲部は窄めることができる折板屋根の力骨体取付用具としたことにより、前記課題を解決した。【０００６】
請求項２の発明を、請求項１において、前記力骨体取付主体は前記折板屋根の頂面に載置可能な箱状力骨体取付主体として構成されてなることを特徴とする力骨体取付用具としたことにより、前記課題を解決した。請求項３の発明を、請求項１において、前記力骨体取付主体は、折板屋根の馳締連結部を収納する凹状の窪みとした馳把持部と、該馳把持部の下方に位置する馳挟持面とを有する第１挟持部材と、該第１挟持部材と同様に凹状の窪みとした馳把持部と馳挟持面とを有する第２挟持部材とからなり、前記第１挟持部と前記第２挟持部材とを近接及び離間させて締付けてなることを特徴とする折板屋根の力骨体取付用具としたことにより、前記課題を解決した。請求項４の発明を、請求項１，２又は３のいずれか１項の記載において、前記嵌合用脚部の弾性屈曲部は、前記嵌合用脚部と同一部材が弾性を有して折返し状に形成されてなることを特徴とする力骨体取付用具としたことにより、前記課題を解決した。
【０００７】  請求項５の発明を、脚部主板の中間に、間隔が常時は広幅状態から幅狭となるような弾性屈曲部と、前記脚部主板の一端部に、折板屋根の両谷部に形成された両段部にそれぞれ係止する係止縁と、前記脚部主板の他端部に、力骨体取付主体に取付けられる取付部を備えた嵌合用脚部の取付部が、前記力骨体取付主体の左右側面に取り付けられ、前記弾性屈曲部は、弾性を有する折返し状に形成され、ボルトとナットとから構成される締付具の締め付けにて前記弾性屈曲部は窄めることができる力骨体取付用具と、平坦状主板と、この幅方向の両側に形成された主側部とからなる力骨本体部とを備え、前記折板屋根の両谷部の両段部に前記係止縁が係止されつつ、弾性屈曲部が締付具にて締付けられ、前記力骨体取付主体に力骨本体部が取付けられてなる折板屋根の力骨体取付構造としたことにより、前記課題を解決したものである。
【発明の効果】
【０００８】
請求項１の発明においては、ソーラーパネルや、緑化屋根となる構成部材を適宜取付けることができ、汎用性を有し、簡易且つ強固に取付けることができ、安価に提供できる力骨体取付用具を提供できる。特に、折板屋根において、不陸や、成型誤差などが生じ、左右側での嵌合力に僅かな相違が生じ、例えば、左側を高さＨとすると、右側は高さＨ±△Ｈとなっていたとしても、本発明では、嵌合用脚部の取付部が、前記力骨体取付主体の左右側面に取り付けられてなる構成のために、良好に対応して、水平状にセットできる。つまり、折板屋根において、不陸や、成型誤差などが生じても、良好に対応できる利点がある。
【０００９】
請求項２の発明では、折板屋根の頂面載置可能な箱状体として構成されているため、馳部無しのタイプの折板屋根に対して、良好に対応できる利点がある。また、請求項３の発明では、馳締用の折板屋根に対して、馳締連結部への取付が良好にできると共に、上方に飛び出した（突出した）馳締連結部が何らの邪魔になることなく、ソーラーパネルや、緑化屋根を容易に施工することができる。さらに、軽微な設備装置や屋根上のメンテナンス通路を設けることも容易にでき、構成部材の取付性を良好にできる。
【００１０】
請求項４の発明では、前記嵌合用脚部と同一部材が弾性を有して折返し状に形成されているため、構成が簡単ながら、取付性及び強度性に優れた効果を奏するものを提供できる。請求項５の発明では、力骨体取付主体に力骨本体部が取付けられている折板屋根の力骨体取付構造としたことで、馳締連結部に対して良好なバランス状態で挟持固定することができ、ひいては本発明の折板屋根用力骨体を馳締タイプの折板屋根に対して強固且つ安定した状態で装着される。このように、力骨体取付主体は、馳締連結部への固定を極めて簡単にすることができ、整然とした折板屋根の力骨体取付構造にできる。
【図面の簡単な説明】
【００１１】
【図１】（Ａ）は本発明の折板屋根用の力骨体取付用具を折板屋根に設けた要部斜視図、（Ｂ）は（Ａ）の要部拡大正面図である。
【図２】（Ａ）は本発明の折板屋根用の力骨体取付用具の斜視図、（Ｂ）は（Ａ）の正面図である。
【図３】（Ａ）は本発明の折板屋根用の力骨体取付用具の分解斜視図、（Ｂ）は（Ａ）の分解正面図である。
【図４】（Ａ）は力骨体取付主体箇所の拡大縦断面図、（Ｂ）は力骨体取付主体箇所の拡大横断面図、（Ｃ）は弾性屈曲部箇所の拡大断面図、（Ｄ）は弾性屈曲部箇所の作用状態の拡大断面図、（Ｅ）は弾性屈曲部箇所の別の実施形態の拡大断面図。
【図５】（Ａ）は折板屋根に力骨体取付用具を取り付けんとする状態図、（Ｂ）は折板屋根に力骨体取付用具を載置した状態図である。
【図６】（Ａ）は折板屋根の馳部に力骨体取付主体を取り付けた状態図、（Ｂ）は折板屋根の段部に嵌合用脚部を嵌合させた状態図、（Ｃ）は力骨体取付主体に力骨本体部を取り付けている工程図、（Ｄ）は力骨本体部の一部斜視図である。
【図７】（Ａ）は力骨体取付用具を折板屋根に取付け、力骨本体部を取付けた後に、別の屋根板を取付けた状態の正面略示図、（Ｂ）は力骨体取付用具を折板屋根に取付け、力骨本体部を取付けた後に太陽光発電パネルなどの屋根載置用部材を取付けた状態の正面略示図、（Ｃ）は施工後の力骨本体部に適宜のピッチで適宜の取付ボルトを取付けた状態の正面略示図。
【図８】（Ａ）は馳部無しの嵌合用の折板屋根板に力骨体取付用具を装着した略示図、（Ｂ）は（Ａ）の拡大断面図である。
【図９】（Ａ）は伸縮自在とした力骨本体部の側面図、（Ｂ）は（Ａ）の要部斜視図、（Ｃ）は伸縮構造の要部断面図である。
【発明を実施するための形態】
【００１２】
以下、本発明の実施形態について図面に基づいて説明する。力骨体取付主体Ａは、主に、分割タイプと、１部材タイプ（図８参照）とがある。分割タイプは、図１（Ｂ），図２及び３に示すように、第１挟持部材１と第２挟持部材２とから構成されている。前記第１挟持部材１と、前記第２挟持部材２とは、図２（Ｂ）及び図３（Ｂ）に示すように、それぞれ左右に位置し、１組で後述する馳締連結部Ｊを挟持する役目をなすものである〔図５（Ｂ）参照〕。
【００１３】
前記第１挟持部材１は、正面板部１１の幅方向両側より背面側に側面板部１２，１２が形成されたものである（図２及び図３参照）。前記正面板部１１の上端には、頂面板部１３が形成されている。前記正面板部１１及び両側面板部１２，１２の下方の位置には、馳把持部１４が形成されている〔図２（Ｂ）参照〕。該馳把持部１４は、折板屋根Ｂの馳締連結部の幅方向の略半分の部分を収納することができる空隙部であり〔図５（Ｂ）参照〕、略半円形状又は略「Ｃ」字形状に切除された凹部として形成されたものである。
【００１４】
前記馳把持部１４は、後述する第２挟持部材２の馳把持部２４と共に略楕円形状の開口を形成し、馳締連結部Ｊを把持する役目をなすものである〔図１５（Ｂ）参照〕。前記馳把持部１４の形成位置よりも下方の面には馳挟持面１５が形成される。該馳挟持面１５は、略平坦状の面であり、馳締連結部Ｊの首部箇所を第２挟持部材２の馳挟持面２５と共に挟持固定する部位である。
【００１５】
第１挟持部材１の両側面板部１２，１２には、接続用貫通孔１６が穿孔されている。該接続用貫通孔１６は、水平方向に沿って長円形又は略楕円形状に形成されている。また、第１挟持部材１の正面板部１１の下端には、底面部１７が形成されている〔図３（Ｂ）参照〕。該底面部１７は、前記正面板部１１に対して直角に折り曲げ形成されたものである。前記馳挟持面１５は、前記底面部１７の正面板部１１との折曲箇所とは反対側となる箇所で且つ上方に向かって垂直状に（略垂直状も含む）に折曲形成されたものである。
【００１６】
次に、第２挟持部材２は、図３（Ｂ）に示すように、前記第１挟持部材１と略同等の構成及び形状としたものであり、前記第１挟持部材１で使用された各部位の名称は、そのまま使用され、各部位の相対的な構成についても第１挟持部材１の場合と同様であるので、詳細については第１挟持部材１を参照されたい。第２挟持部材２は、正面板部２１の幅方向両側より背面側に側面板部２２，２２が形成される。正面板部２１の上端は、正面板部２１の上端を少し塞ぐように頂面板部２３が形成されている。馳把持部２４は、図３（Ｂ）に示すように、前記馳把持部１４と略同様に、略半円形状又は略「Ｃ」字形状に切除された凹部として形成されたものである。第１挟持部材１の馳把持部１４と、第２挟持部材２の馳把持部２４とで、馳締連結部Ｊの略半分の部分を遊挿されるように形成されている〔図５（Ｂ）参照〕。
【００１７】
前記馳把持部２４の形成位置よりも下方の面には馳挟持面２５が形成される。該馳挟持面２５は、略平坦状の面であり、図５（Ａ）に示すような馳締連結部Ｊの首部６４１，６５１箇所を前記第１挟持部材１の馳挟持面１５と共に略挟持状態に固定する。馳把持部２４の下端縁で且つ前記馳挟持面２５の上端縁には、上向き傾斜状に突出する押え突起片２６が形成されている〔図２（Ｂ）参照〕。該押え突起片２６は、前記馳挟持面２５と一体的に形成されたものであり、該馳挟持面２５を形成する金属板が折曲形成されたものである。
【００１８】
前記押え突起片２６は、第１挟持部材１と、第２挟持部材２とで馳締連結部Ｊを挟持したときに、該馳締連結部の一部を抑圧固定する役目をなすものである〔図５（Ｂ）参照〕。前記押え突起片２６は、第２挟持部材２側にのみ形成されるものである。該第２挟持部材２の正面板部２１には内螺子部２１ａが設けられている。また、第２挟持部材２の正面板部２１の下端には、底面部２７が形成されている〔図３（Ｂ）参照〕。該底面部２７は、前記正面板部２１に対して直角に折り曲げ形成されたものである。前記馳挟持面２５は、前記底面部２７の正面板部２１との折曲箇所とは反対側となる箇所で且つ上方に向かって垂直状に（略垂直状も含む）に折曲形成されたものである。第２挟持部材２の両側面板部２２，２２には、接続用貫通孔２８が穿孔されている。該接続用貫通孔２８は、水平方向に沿って長円形又は略楕円形状に形成されている。
【００１９】
締付具１８は、ボルト１８ａ及びナット１８ｂから構成され、前記第１挟持部材１と、第２挟持部材２とを締付けると共に、前記嵌合用脚部４，４とを固定する〔図２（Ｂ）及び図３（Ｂ）参照〕。また、第１挟持部材１と第２挟持部材２とは、前記締付具１８のボルト１８ａと内螺子部２１ａによって近接又は離間することができるようになっている〔図５（Ａ）及び（Ｂ）参照〕。
【００２０】
具体的には、前記第１挟持部材１には正面板部１１に貫通孔１１ａが形成されている。また第２挟持部材２には、正面板部２１に内螺子部２１ａが形成されている。該内螺子部２１ａとして、図４等に示すように、ナットが前記正面板部２１に溶接等の固着手段にて固着されている。また、前記内螺子部２１ａとしてナットが使用されるときには、前記ボルト１８ａが貫通するための貫通孔が前記正面板部２１に穿孔されている。さらに、特に図示しないが、内螺子部２１ａとして、ナットを使用しないで、前記第２挟持部材２の正面板部２１に、孔開けされつつバーリング加工され、この部分に内螺子部２１ａが形成されることもある。この場合には、厚肉材が好ましい。
【００２１】  前記嵌合用脚部４は、帯板状の脚部主板４１の中間に、間隔が常時は広幅状態から幅狭となるような弾性屈曲部４３と、前記脚部主板４１の一端部（下端側）に、前記折板屋根Ｂの両谷部に形成された両段部６２ａ，６２ａにそれぞれ係止する係止縁４２と、前記脚部主板４１の他端部（上端側）に、前記力骨体取付主体Ａに取付けられる取付部４５が一体形成されている。前記弾性屈曲部４３は、締付具４４によって間隔が広幅状態から幅狭となるように形成されている。該締付具４４は、ボルト４４ａとナット４４ｂとから構成されている。前記取付部４５には、貫通孔４５ａが穿設されている。
【００２２】
また、前記弾性屈曲部４３の実施態様としては、図１乃至図３に示すように、前記脚部主板４１が折返し状に形成され、弾性を有しており、前記締付具４４にて窄めても旧位置に復帰するような弾性的作用をなす。さらに、前記弾性屈曲部４３の別の実施態様として、図４（Ｅ）に示すように、分離屈曲片４３１，４３１と、その間のクッション材４３２とで、前記締付具４４にて窄めても旧位置に復帰するような作用をなすものであり、前記弾性屈曲部４３は実施態様に限定されない。前記クッション材４３２は、板バネ、コイルバネ、スプリングワッシャの場合もある。
【００２３】
力骨体取付主体Ａは、図８に示すように、１部材タイプにて構成されることもある。この場合は、折板屋根Ｂの折板屋根板６の頂面６６に馳部（下馳部６４、上馳部６５）が存在しないタイプに対応する。その力骨体取付主体Ａは、箱形状をなし、正面板部３１と、背面板部３２と、両側面板部３３，３３と、頂面板部３４と、底面板部３５とから立方体状に構成されている。この１部材タイプの力骨体取付主体Ａは、図８（Ａ）に示すように、折板屋根Ｂの折板屋根板６の頂面６６に載置するのみで、両弾性屈曲部４３，４３の取付は、馳締めタイプと同様に取付施工する。
【００２４】
力骨体取付主体Ａは、図１に示すように、複数が長手方向において、一列となるように接続されて使用される。その接続構造は、図４（Ａ）に示すように、前記第１挟持部材１と前記第２挟持部材２との間隔を一旦、広げて、馳締連結部Ｊを挟持可能な状態にして馳締連結部Ｊを有する折板屋根板６，６の頂部箇所に設置する。そして、締付具１８のボルト１８ａと内螺子部（ナット）２１ａとを締め付けて、前記第１挟持部材１と第２挟持部材２とで馳締連結部Ｊを挟持する〔図５（Ｂ）〕。
【００２５】
折板屋根Ｂを構成する折板屋根板６は、図１，図５（Ａ）等に示すように、主板６１の幅方向両側より立上り側部６２，６２が形成されている。該立上り側部６２の中間適所に段部６２ａが形成されている。上端には、平坦状に近い上片部６３が形成されている。該上片部６３の外端から下馳部６４が形成され、他方の上片部６３には上馳部６５が形成されている。前記折板屋根板６，６，…を複数並設し、隣接する折板屋根板６，６同士の前記下馳部６４と上馳部６５とを共に馳締めして連結し、折板屋根Ｂを施工する。前記主板６１と、立上り側部６２，６２は、断面略有底Ｖ字状の谷形状を構成する。
【００２６】
下馳部６４及び上馳部６５は、図５（Ａ）に示すように、円弧状をなしており、具体的には断面略「？」状をなしている。その他にも、特に図示しないが種々の形状としたものが存在し、断面円形型形状、或いは、断面逆Ｌ形状に形成されることもある。また、前記下馳部６４及び上馳部６５が共に略三角形状に折曲形成されたタイプも存在する。また、前記下馳部６４と上馳部６５には、略垂直状に形成された部位を有している。この垂直状部位は、下馳部６４及び上馳部６５の下部と前記上片部６３との間に位置しており、下馳首部６４１と上馳首部６５１と称する〔図５（Ａ）参照〕。そして、前記下馳部６４と上馳部６５とを馳締めして馳締連結部Ｊが構成される。該馳締連結部Ｊでは、前記下馳首部６４１と上馳首部６５１とが略当接状態となる。
【００２７】
前記力骨本体部５は、図６（Ｃ）及び（Ｄ）に示すように、主に、細長い平坦状主板５１と、該平坦状主板５１の両側から主側部５２，５２とから構成され、断面門型状をなしている。つまり、前記平坦状主板５１は、折板屋根Ｂの折板屋根板６としての幅又は働き幅に略相当する長さに形成されている［図１（Ａ）参照］。前記力骨本体部５の両主側部５２，５２の両端には、接続用貫通孔５３ａ，５３ａが形成されている。
【００２８】
力骨体取付主体Ａに対して、力骨本体部５は、前記接続用貫通孔１６，１６と接続用貫通孔２８，２８との位置が一致されて、ボルト５４ａ及びナット５４ｂとからなる接続具５４によって隣接する力骨本体部５，５が接続される〔図４（Ｂ）参照〕。この場合には、図７に示すように、折板屋根Ｂを構成する折板屋根板６，６同士の複数の馳締連結部Ｊに取付けられる力骨体取付主体Ａ，Ａ，…が全て略同一高さとなる構成において、前記力骨本体部５が使用されるものである。
【００２９】  次に、前記力骨体取付主体Ａを取り付けた後の嵌合用脚部４の取付操作について説明する。特に、締付具４４のボルト４４ａ，ナット４４ｂを締め付けて、段部６２ａに嵌合用脚部４の係止縁４２を係止する。前記力骨体取付主体Ａの左右側を係止する。このとき、折板屋根Ｂに不陸や、成型誤差などが生じ、左右側での嵌合力に僅かな相違が生じたとしても、本発明での嵌合用脚部４は、前記力骨体取付主体Ａの左右側に存在しているため、それぞれの形状の段部６２ａに対して、弾性屈曲部４３を介して締め付けることで、適性なる取付ができ、ひいては、折板屋根において、不陸や、成型誤差などが生じても、良好に対応できる。そして、隣接する力骨体取付主体Ａ，Ａに、力骨本体部５を接続する。これを順次繰り返して、図７に示すように、連続した梁材又は構造材としての力骨体を施工する。
【００３０】
具体的には、図７（Ａ）に示すように、その力骨体なる連続した力骨本体部５，５，…上に、適宜な屋根材，カッターなどの取付部材が葺成できたり、或いは、図７（Ｂ）に示すように、太陽光発電パネルや、緑化屋根部材などの屋根載置用部材が取り付けられることがある。特に、折板屋根用力骨体Ａの力骨本体部５の上面の平坦状主板は平坦面状に形成されているため、取付条件の制限を受けない利点がある。さらに、図７（Ｃ）に示すように、適宜の取付ボルトＮを取付けるにも、前記力骨本体部５の平坦状主板５１のみのため、簡単に所望のピッチにでき、取付応用性の拡大ができる利点がある。また、特に図示しないが、前記力骨本体部５には軽微な設備装置や屋根上のメンテナンス通路等を設置することもある。
【００３１】
図９に示したものは、力骨本体部５を適宜伸縮可能な構成としたものである。具体的には、力骨本体部５の長手方向を２つに分離し、分離重合用力骨体５６，５６との中間にジョイント部材５７を設けたものである。該ジョイント部材５７の断面は、前記力骨本体部５の断面と同等で、肉厚分だけ異なり、図９（Ａ），（Ｂ）及び（Ｃ）に示すように、適宜摺動自在になるように構成されている。該ジョイント部材５７に所定間隔をおいて少なくとも３つのネジ孔５７ａが穿孔され、分離重合用力骨体５６，５６にも、前記ネジ孔５７ａのピッチに対応する貫通孔５６ａが穿孔されて、ビスなどの止具５８にて伸縮できる。これによって、力骨本体部５の長手方向が折板屋根Ｂの適宜の間隔に対応できる。前記折板屋根板６は、下地材としての構造材７に設けた屋根受具８の突起部８ａにて前記折板屋根板６の段部６２ａを介して嵌合されつつ取付けられている。
【符号の説明】
【００３２】  Ａ…力骨体取付主体、Ｂ…折板屋根、１…第１挟持部材、２…第２挟持部材、１４…馳把持部、１５…馳挟持面、３…箱状力骨体取付主体、４…嵌合用脚部、４１…脚部主板、４２…係止縁、４３…弾性屈曲部、４５…取付部、５…力骨本体部、５１…平坦状主板、５２…主側部、６２ａ…段部、６６…頂面。
【図１】
0005547926.tif 000002
【図２】
0005547926.tif 000003
【図３】
0005547926.tif 000004
【図４】
0005547926.tif 000005
【図５】
0005547926.tif 000006
【図６】
0005547926.tif 000007
【図７】
0005547926.tif 000008
【図８】
0005547926.tif 000009
【図９】
0005547926.tif 000010